(57)【特許請求の範囲】
【請求項１】
セキュア文書システムであって：
被印刷物；
被印刷物の特定領域内に印刷された第１の蛍光バーコードであって、紫外線または赤外線によって照らされた時に第１の色の光を発するように構成される、第１の蛍光バーコード；及び
被印刷物の特定領域内に印刷された第２の蛍光バーコードであって、第２の蛍光バーコードは紫外線または赤外線によって照らされた時に第１の色とは異なる第２の色の光を発するように構成され、第１の蛍光バーコードと第２の蛍光バーコードは、紫外線または赤外線によって照らされた時に同時に光を発し、第１の蛍光バーコードと第２の蛍光バーコードが同時に光を発することで第１のバーコードのスキャンを妨げる、第２の蛍光バーコード
を含み、ここで、第２の蛍光バーコードの第２の色をフィルタリングするために構成されたフィラーが、第１の蛍光バーコードを読み取るために必要とされる、セキュア文書システム。
【請求項２】
第２の蛍光バーコードは、第１の蛍光バーコードにより画定される又は第１の蛍光バーコードの上に重ねられる空の空間内に位置する、請求項１に記載のセキュア文書システム。
【請求項３】
第２の蛍光バーコードは、第１の蛍光バーコードとは異なるパターンを持つ、ことを特徴とする請求項１に記載のセキュア文書システム。
【請求項４】
第１の蛍光バーコードと第２の蛍光バーコードの組み合わせた放射は、第１の蛍光バーコード及び第２の蛍光バーコードとは異なる別のパターンを持つ第３のバーコードに類似している、ことを特徴とする請求項３に記載のセキュア文書システム。
【請求項５】
第２の蛍光バーコードは被印刷物に追加される光学増白剤を含み、フィルタはカラーフィルタで
ある、ことを特徴とする請求項１に記載のセキュア文書システム。
【請求項６】
セキュア文書システムであって：
被印刷物；
被印刷物の特定領域内に印刷された第１の蛍光バーコードであって、第１の波長を持つ光による照射時に第１の色の蛍光を発する、第１の蛍光バーコード；及び
第１の波長とは異なる第２の波長を持つ光による照射時に蛍光を発する第１の蛍光バーコードにある蛍光フィラー
を含み、
ここで第２の波長の光は、第１の波長の光よりもより一般に生成され；及び
第３の波長の光が第１の蛍光バーコードを照らすために必要とされる、
セキュア文書システム。
【請求項７】
セキュア文書であって：
被印刷物；
第１の色及び第２の色を含む画像であって、各々が通常の光の下で視認でき、被印刷物の特定領域内に位置している、画像；及び
被印刷物上の蛍光バーコードであって、被印刷物上で第１の色の画像の少なくとも一部と位置合わせされる第１の色の蛍光バージョンである第３の色の第１の部分、及び、被印刷物上で第２の色の画像の少なくとも一部と位置合わせされる第２の色の蛍光バージョンである第４の色を持つ第２の部分を有する、蛍光バーコード
を含む、セキュア文書。
【請求項８】
画像は、第１の色と第２の色との間に交互に並ぶ複数のセルを持つパターンを含む、ことを特徴とする請求項７に記載のセキュア文書。
【発明の詳細な説明】
【技術分野】
【０００１】
＜関連出願の相互参照＞
本出願は、２０１５年２月１９日に出願された“Ｍｅｔｈｏｄｓ ｆｏｒ Ｓｅｃｕｒｉｎｇ Ｉｎｖｉｓｉｂｌｅ ２Ｄ Ｂａｒｃｏｄｅｓ ａｎｄ Ｐｒｉｎｔｅｄ Ｉｍａｇｅｓ”と題する米国仮特許出願６２／１１８，２０６、及び２０１５年３月１２日に出願された“Ｍｅｔｈｏｄｓ ｆｏｒ Ｓｅｃｕｒｉｎｇ Ｃｏｖｅｒｔ Ｂａｒｃｏｄｅｓ ａｎｄ Ｐｒｉｎｔｅｄ Ｉｍａｇｅｓ”と題する米国仮特許出願６２／１３２，２９７の利益を主張し、これら米国仮特許出願はいずれもその全体が本明細書に完全に含まれるかのように本出願に組み込まれるものとする。
【背景技術】
【０００２】
＜発明の分野＞
本発明は、広義には、セキュアなバーコードを有する文書、及びそれら文書の作成システムおよび方法に関連する。本発明は、具体的には、蛍光バーコードを有する文書であって、当該蛍光バーコードの偽造からの保護が、その蛍光性に加えて、セキュリティ特徴によってさらに強化された文書に関連する。
【０００３】
＜関連技術の説明＞
バーコードは物体を分類、識別するため長年にわたって用いられてきた。バーコードは近年まで一次元のものであり、その幅及びお互いの間の間隔が可変的である垂直な線のみで構成されていた。長い間、このようなバーコードはバーコードリーダによってしか読み取りができず、したがって不正な読み取りや偽造に対してある程度のセキュア性を有していた。しかし、光学技術及びコンピュータ技術が進歩するにつれて、バーコードを読み取り、解釈する能力を有する装置（例えばスマートフォンやプリンタ／スキャナシステム）の数が増加した。
【０００４】
ほぼ時を同じくして、二次元バーコードが登場し始めた。二次元バーコードは一次元バーコードと比べて、二次元性を有することにより多くの表現が可能であり、したがってより多くのデータ量を含むことができる。今では二次元バーコードは、当初の用途であるところの物体の分類・識別に加えて、様々な用途、例えば広告及び文書セキュリティに用いられている。
【０００５】
そのような文書セキュリティの一例として、文書に蛍光インクもしくはトナー（蛍光インク）を用いてバーコードをプリントすることが挙げられる。蛍光インクは、例えば紫外線や赤外線等の特定波長の光で照らされると蛍光発光し、通常の照明の下では色を有さない。蛍光インクは日光においては無色であるゆえに、偽造者は原文書における蛍光バーコードの存在に気付かない可能性がある。したがって、バーコードの蛍光性の欠如により、偽造を簡単に見抜くことができる。紫外線バーコードはまた、文書上において可視インクで表示された以外の情報を含みうる。例えば、バーコードを用いることで、例えば文字列やウェブサイトのアドレス等を表現することができる。したがって、文書が盗まれたとしても、バーコードによって表現された情報はセキュアなままである可能性がある。
【０００６】
蛍光バーコードの普及と共に、蛍光バーコードの存在についての知識も普及してきた。文書が蛍光バーコードを有する可能性があるという意識の高まりにより、この種のバーコードがかつて有していたセキュリティが低下している。特に、蛍光バーコードを用いて表現された如何なる情報も、今や文書を紫外線や赤外線で照らし、蛍光発光した状態のバーコードをスキャンすることで比較的単純に取得可能である。
【０００７】
さらに、紫外線インクはより一般的になってきており、一般大衆にも購入可能となっている。このような紫外線インクを用いた印刷は、単に従来のインクカートリッジを蛍光インクカートリッジで置き換えることで、多くのプリンタを用いて行うことができる。このように、蛍光バーコードで表現されたデータのセキュアが低下しているばかりか、偽造者は今やより容易に偽造物を生産することができる。
【０００８】
上述の理由により、セキュアな蛍光バーコード、及び蛍光バーコードをよりセキュアにするための方法やシステムが望まれている。
【発明の概要】
【課題を解決するための手段】
【０００９】
本発明は、セキュア文書であって、セキュア文書の不正な読み取り・複製の困難性を高める蛍光バーコード、及び／又は蛍光性セキュリティ特徴を有する、セキュア文書を提供する。第１のセキュア文書は、文書の特定領域内に位置する蛍光バーコードを含んでいる。蛍光バーコードとは異なる色を持つ蛍光フィラーが、文書の特定領域内に少なくとも部分的に位置している。蛍光フィラーは、蛍光バーコードの発見とスキャンを妨げるものである。蛍光バーコードを発見且つスキャンするためには、カラーフィルタやラインフィルタなどのフィルタを使用して、蛍光フィルタをフィルタリングしなければならない。
【００１０】
付加的なセキュリティ手段として、蛍光フィラーは、蛍光バーコードとは異なるパターンを持つ、別のバーコードに類似してもよい。別のセキュリティ手段を実施するために、蛍光バーコードは、全バーコードのほんの一部となる場合もある。蛍光バーコードが蛍光フィラーの隣に位置し、スキャンのために全バーコードを形成するように、蛍光フィラーは全バーコードの別の部分となる。別のセキュリティ手段としては、蛍光フィラーとして文書の光学増白剤の使用が挙げられる。光学増白剤は、紫外線光及び／又は蛍光によりセキュア文書が照らされる場合に、蛍光バーコードを洗い落とす。追加のセキュリティのために、蛍光バーコード及び／又は蛍光フィラーが、オートステレオグラムとして動作するよう焦点をずらして見える場合に、画像が現れることもある。
【００１１】
別のセキュア文書は、第１の波長を持つ光により照らされると蛍光を発する蛍光バーコードと、第１の波長とは異なり且つより一般的な波長である第２の波長を持つ光により照らされると蛍光を発する蛍光フィラーとを備えている。蛍光フィラーは第２のバーコードに類似してもよい。蛍光バーコードは、第１の波長を持つ光の照射によってのみ読み取ることができる。
【００１２】
また別のセキュア文書は、２つの可視インク及び２つの蛍光インクを用いてプリントされた画像を備えている。可視インクは被印刷物上でパターンを作成し、蛍光インクはバーコードを作成し得る。バーコードの発見の困難性を高めるために、蛍光インクは可視インクと同じような色を有し、且つ対応する色の可視インクにより位置合わせされてもよい。
【００１３】
別のセキュア文書は、互いに隣り合って位置する少なくとも２つの色を持つ蛍光セキュリティ特徴を備えている。該セキュリティ特徴は、フォイルホログラムに類似するように、特定の場所で変化する２つの色により画像を形成する。セキュリティ特徴は、アナグリフ眼鏡を用いて見える場合に立体的な三次元効果をもたらすパターン又は画像を代わりに形成する場合もある。
【図面の簡単な説明】
【００１４】
添付図面は本発明の好ましい実施形態を示す。添付図面の詳細な説明を参照することで、本発明の完全な理解がより明確になるであろう。
【図１】本発明の一実施形態に係る、セキュア化された紫外線バーコードを作成・読み取るためのシステムの特徴を示すブロック図である。
【図２】本発明の一実施形態に係る、蛍光バーコードとセキュリティ特徴を有するセキュア文書のプリントオブジェクトの作成に用いられるプリント端末を示すブロック図である。
【図３】本発明の一実施形態に係る、蛍光バーコードとセキュリティ特徴を有するセキュア文書の読み取り、及び／又はスキャンのためのバーコードリーダ装置を示すブロック図である。
【図４】本発明の一実施形態に係る、蛍光バーコードとセキュリティ特徴を有するセキュア文書を作成する方法を示すフローチャートである。
【図５】本発明の一実施形態に係る、蛍光バーコードとセキュリティ特徴を有するセキュア文書を読み取り及び／又はスキャンする方法を示すフローチャートである。
【図６Ａ】蛍光バーコードとセキュリティ特徴を有するセキュア文書を紫外線及び／又は蛍光灯の下で見た状態の写真である。
【図６Ｂ】図６Ａのセキュア文書の蛍光フィルタをフィルタリングした後の状態の写真である。
【図７Ａ】蛍光バーコード及び蛍光フィラーの列を交互に配したセキュア文書を紫外線及び／又は蛍光灯の下で見た状態の写真である。
【図７Ｂ】図７Ａのセキュア文書の蛍光フィルタをフィルタリングした後の状態の写真である。
【図７Ｃ】図７Ｂのセキュア文書の蛍光フィラーをフィルタリングした後の状態の写真である。
【図７Ｄ】図７Ａのセキュア文書のフィルタリングに、用いられるラインフィルタの写真である。
【図８Ａ】蛍光バーコードの第１部分と第２部分が重なったセキュア文書を紫外線及び／又は蛍光灯の下で見た状態の写真である。
【図８Ｂ】図８Ａのセキュア文書の蛍光バーコードの第２部分をフィルタリングした後の蛍光バーコードの第１部分の写真である。
【図８Ｃ】図８Ａのセキュア文書の蛍光バーコードの第１部分をフィルタリングした後の蛍光バーコードの第２部分の写真である。
【図８Ｄ】図８Ａの蛍光バーコードの第１部分が図８Ａの蛍光バーコードの第２部分に隣接して配され蛍光バーコードを形成している状態の写真である。
【図９Ａ】光学増白剤を有する被印刷物上に第１の色の蛍光バーコードがプリントされたセキュア文書を紫外線及び／又は蛍光灯の下で見た状態の写真である。
【図９Ｂ】図９Ａのセキュア文書の写真であり、第１の色を除くすべての色を示す。
【図１０Ａ】セキュア文書であって、第１の蛍光インク、第２の蛍光インク、及び当該文書の異なる位置に配された２つの部分に分割された蛍光バーコードを有するセキュア文書を紫外線及び／又は蛍光灯の下で見た状態の写真である。
【図１０Ｂ】上記の異なる位置が識別される図１０Ａのセキュア文書の写真である。
【図１０Ｃ】図１０Ａのセキュア文書の蛍光バーコードの２つの部分の組み合わせた状態を示す写真である。
【図１１Ａ】第１の波長の光に反応する蛍光バーコード、及び、第２の波長の光に反応する第２のバーコードに類似する蛍光フィラーを有するセキュア文書を紫外線及び／又は蛍光灯の下で見た状態の写真である。
【図１１Ｂ】図１１Ａのセキュア文書を、第２の波長の紫外線及び／又は蛍光灯の下で見た状態の写真である。
【図１２Ａ】２つの可視インクを用いたパターン及び類似した色の２つの蛍光インクを有する蛍光バーコードを有するセキュア文書を通常の照明の下で見た状態の写真である。
【図１２Ｂ】図１２Ａのセキュア文書を紫外線及び／又は蛍光灯の下で見た状態の写真である。
【図１３Ａ】セキュア文書であって、第１の色の第１の蛍光インクと第２の色の第２の蛍光インクとを有する、フォイルホログラムに類似する第１特徴と、第３の色の第１の蛍光インクと第４の色の第２の蛍光インクとを有する、アナグリフ眼鏡で見た場合に三次元効果をもたらす蛍光背景パターンとを有するセキュア文書の写真である。
【図１３Ｂ】図１３Ａの背景パターンの三次元効果を見るために使用可能なアナグリフ眼鏡の写真である。
【発明を実施するための形態】
【００１５】
図１を参照するに、蛍光セキュリティ特徴によって保護された蛍光バーコードを有するセキュア文書を作成・読み取るためのシステム（１００）は、プリント端末（１０２）、プリンタ（１０４）、バーコードリーダ装置（１１０）、及びライト（１０８）を有する。ライト（１０８）は、可視スペクトル外の波長を有する光、例えば紫外線や赤外線を生成する場合がある。
【００１６】
プリント端末（１０２）は、蛍光バーコード及びセキュリティ特徴を有するセキュア文書のプリントオブジェクトの生成に使用可能である。プリントオブジェクトは、プリンタ（１０４）に対してセキュア文書のプリント方法を示すデータの集合である。プリントオブジェクトは、例えば、プリント端末（１０２）のプロセッサがソフトウェアを実行することで生成され得る。プリント端末（１０２）は生成したプリントオブジェクトを、プリントのためにプリンタ（１０４）に送信し得る。
【００１７】
プリンタ（１０４）は、インクジェットプリンタやレーザプリンタや、その他の文書もしくは被印刷物に対してインクやトナーを転写可能なものなどのプリンタであっても良い。プリンタ（１０４）は一つ以上のインク、もしくはトナーのカートリッジを有し得る。それらのカートリッジのうち少なくとも一つは蛍光インクもしくは蛍光トナー（例えば紫外線や赤外線のような、特定の波長の光で照らされた場合に蛍光するインクやトナー）を有する。実施形態によっては、プリンタ（１０４）のインクもしくはトナーのカートリッジの一つ以上が可視インクもしくはトナーを有するとすることができる。
【００１８】
従来技術において、蛍光インク・蛍光トナーについては幅広い例が存在している。例えば、Ｈｅｉｌｍａｎ ｅｔ ａｌ．（米国特許出願第１４／８５７，３８９号、名称「ＣＯＬＯＲＬＥＳＳ ＵＬＴＲＡＶＩＯＬＥＴ ＳＥＣＵＲＩＴＹ ＴＯＮＥＲ」）は紫外線トナーを開示しており、Ａｕｓｌａｎｄｅｒ（米国特許第５，６８４，０６９号、名称「ＣＯＭＰＯＳＩＴＩＯＮ ＦＯＲ ＩＮＶＩＳＩＢＬＥ ＩＮＫ ＲＥＳＰＯＮＳＩＶＥ ＴＯ ＩＮＦＲＡＲＥＤ ＬＩＧＨＴ」）は赤外線インクを開示している。なお、本開示及び請求項において、「インク」という用語が示すものはインクであっても良いし、トナーであっても良い。
【００１９】
プリンタ（１０４）は、プリントオブジェクトをプリント端末（１０２）から受け取ると、被印刷物（１１４）に蛍光バーコード（１１２）及びセキュリティ特徴（１１３）をプリントすることでセキュア文書（１０６）を生成し得る。セキュリティ特徴（１１３）は、蛍光バーコード（１１２）の読み取り・複製の困難性を高める。
【００２０】
セキュア文書（１０６）の少なくとも一部が蛍光インクを用いてプリントされ、したがってライト（１０８）の下でしか見えない、とすることができる。したがって、バーコード（１１２）を読み取り、もしくはスキャンするために、ユーザはまず、セキュア文書（１０６）の当該部分を照らすために紫外線光及び／又は赤外線光を発するライト（１０８）をつける、とすることができる。セキュア文書（１０６）がライト（１０８）によって照らされている間は、ユーザはセキュア文書（１０６）の蛍光発光状態の当該部分をキャプチャできる。セキュア文書（１０６）が蛍光バーコード（１１２）及びセキュリティ特徴（１１３）を有することにより、バーコード（１１２）を読み取るためにはバーコード（１１２）をセキュア文書（１０６）から抽出する必要がある。
【００２１】
バーコードリーダ装置（１１０）はセキュア文書（１０６）の画像をキャプチャし、セキュア文書（１０６）からバーコード（１１２）を抽出することができる。なお、以下で説明するように、セキュア文書（１０６）に含まれる追加のセキュリティ特徴（１１３）の数は任意である。したがって、バーコードリーダ装置（１１０）は、それら追加のセキュリティ特徴（１１３）のいずれからもバーコードを抽出できるよう設計されてもよい。バーコード（１１２）の抽出後、バーコードリーダ装置（１１０）はバーコード（１１２）を抽出可能であってもよい。
【００２２】
図２を参照するに、プリント端末（１０２）は入力装置（２００）、プロセッサ（２０２）、メモリ（２０４）、及び出力ポート又は装置（２０６）を有する。入力装置（２００）は、ユーザ及び／又は他の装置から入力を受け取ることができる任意の入力装置を有していても良い。例えば、入力装置（２００）はキーボード、マウス、スキャナー、カメラ、及びＵＳＢポート等を有していても良い。
【００２３】
プロセッサ（２０２）はプロセッサを一つ以上含んでいても良い。一以上のプロセッサとしては、例えば汎用プロセッサ、デジタルシグナルプロセッサ（ＤＳＰ）、特定用途向け集積回路（ＡＳＩＣ）、フィールドプログラマブルゲートアレイ（ＦＰＧＡ）、又はその他のプログラマブル論理装置、ディスクリートゲート又はトランジスタロジック、ディスクリートハードウェア部品、又はそれらの任意の組み合わせが挙げられる。実施形態によっては、プロセッサ（２０２）はさらに一つ以上の有形非一時的メモリを有しても良く、当該有形非一時的メモリはメモリ（２０４）とは別であってもよい。
【００２４】
プロセッサ（２０２）はセキュア文書作成のための様々なユニットを有し得る。例えば、プロセッサ（２０２）はバーコード作成部（２０８）を有していても良い。バーコード作成部（２０８）は、ユーザ入力及び／又はロジック（例えば、純粋にランダムなバーコード生成のためのロジック）に基づきバーコードを生成し得る。実施形態によっては、ユーザは、バーコードが所定の情報、例えば数、文字列、ウェブサイトアドレスなどを表現することを望む場合がありうる。そのユーザは、入力装置（２００）を介してプロセッサ（２０２）に所望の情報を提供しても良い。そして、バーコード作成部（２０８）は、要求された情報の表現を有するバーコードを作成し得る。実施形態によっては、ユーザは、バーコード作成部（２０８）によるバーコード生成が不要になるよう、入力装置（２００）を介して作成済みのバーコードをプリント端末（１０２）に提供し得る。
【００２５】
プロセッサ（２０２）はさらにセキュリティ部（２１０）を有していても良い。セキュリティ部は一以上のセキュリティ特徴を生成する、及び／又はセキュリティ特徴を蛍光バーコードに適用し得る。これらの付加的なセキュリティ特徴は蛍光バーコードをさらにセキュアなものにし、それにより、付加的なセキュリティ特徴と蛍光バーコードを共にプリントすることでセキュア文書の作成を可能にする。このようなセキュリティ特徴の例を、図６Ａ乃至図１３Ｂを参照しつつ以下に説明する。
【００２６】
メモリ（２０４）は、データを記憶可能な非一時的記録媒体であっても良い。メモリ（２０４）はプロセッサ（２０４）のメモリとは別であっても良く、別でなくても良い。その点において、メモリ（２０４）は、他のデータと共に、プロセッサ（２０２）により実行される指示を記憶していても良い。例えば、メモリ（２０４）はセキュリティ特徴（２１２）の生成及び適用のための機械可読指示を記憶していても良い。それら機械可読指示は、プロセッサ（２０２）により実行されてもよい。プロセッサ（２０２）は、どの１つ又は複数のセキュリティ特徴をバーコードに対して適用するか、ユーザ入力に基づき判定しても良い。そして、プロセッサ（２０２）はメモリ（２０４）からセキュリティ特徴に関連付けられたデータをメモリ（２０４）から読み出してもよい。さらに、メモリ（２０４）は、プロセッサ（２０２）がセキュア文書生成時にアクセス可能な、バーコード特徴（２１４）の生成の指示を記憶しても良い。
【００２７】
出力ポート（２０６）は、プリンタなどの他の装置に対してプリントオブジェクトなどのデータを送信可能な、あらゆる種の出力ポートを含んでいても良い。当該プリントオブジェクトは、蛍光バーコード及びセキュリティ特徴を含んでもよい。例えば、出力ポート（２０６）は、あらゆるＵＳＢポート、ＷｉＦｉポート、Ｂｌｕｅｔｏｏｔｈ（登録商標）ポート等を含んでいても良い。
【００２８】
図３を参照するに、バーコードリーダ装置（１１０）は、カメラもしくは他の画像検出装置（３００）（以下、カメラ（３００））、プロセッサ（３０２）、メモリ（３０４）、出力ポートもしくは出力装置（３０６）、及び入力装置（３０１）を有している、とすることができる。また、バーコードリーダ装置（１１０）は任意に紫外線及び／又は赤外線照明装置（３０８）を有していても良い。
【００２９】
カメラ（３００）は、画像データを検出可能な任意の装置もしくはセンサを含んでいても良い。例えば、カメラ（３００）は、紫外線／赤外線照明装置（３０８）により照らされた状態のセキュア文書の少なくとも一部を検出する、とすることができる。
【００３０】
入力装置（３０１）はユーザ入力受付可能な任意の入力装置を含んでいても良い。例えば、入力装置（３０１）はマウス、キーボード、ボタン等を含んでいても良い。
【００３１】
プロセッサ（３０２）は、一以上のプロセッサを有し、ロジックを実行可能であっても良い。プロセッサ（３０２）は、例えば汎用プロセッサ、デジタルシグナルプロセッサ（ＤＳＰ）、特定用途向け集積回路（ＡＳＩＣ）、フィールドプログラマブルゲートアレイ（ＦＰＧＡ）、又はその他のプログラマブル論理装置、ディスクリートゲート又はトランジスタロジック、ディスクリートハードウェア部品、又はそれらの任意の組み合わせであっても良い。
【００３２】
プロセッサ（３０２）は、セキュリティ特徴判定部（３１０）、バーコード抽出部（３１２）、及びバーコード判定部（３１３）を有していても良い。セキュリティ特徴判定部（３１０）は、蛍光バーコードに対してどの１つ又は複数のセキュリティ特徴が適用されているか判定可能とすることができる。一例として、セキュリティ特徴判定部（３１０）は、使用されているセキュリティ特徴の種類を示す入力を入力装置（３０１）から受け付ける、とすることができる。別の例として、セキュリティ特徴判定部（３１０）は、カメラ（３００）からの判定済み画像データに基づいて適用されているセキュリティ特徴を判定可能である、とすることができる。
【００３３】
バーコード抽出部（３１２）はバーコードをセキュリティ文書から抽出可能である、とすることができる。例えば、バーコードに適用されていたセキュリティ特徴の判定後、バーコード抽出部（３１２）はフィルタや他のロジックを適用することで当該バーコードをセキュア文書から抽出する、とすることができる。
【００３４】
バーコード判定部（３１３）は、セキュア文書からのバーコード抽出後、検出されたバーコードに対応するデータを判定可能である、とすることができる。例えば、バーコード判定部（３１３）は、バーコードが文字列、ウェブサイトアドレス、もしくは他の代表的な情報のいずれを表すか判定し、当該文字列、ウェブサイトアドレス、もしくは他の情報のいずれかを特定する、とすることができる。
【００３５】
メモリ（３０４）はデータを記憶可能な非一時的記録媒体であっても良い。メモリ（３０４）はプロセッサ（３０２）のメモリとは別であっても良く、別でなくても良い。この点に関して、メモリ（３０４）は、プロセッサ（３０２）により実行される指示を記憶していても良い。例えば、メモリ（３０４）は、セキュリティ特徴判定部（３１０）がバーコードにどのセキュリティ特徴が適用されているか判定し、バーコードを抽出するのに用いるセキュリティ特徴（３１４）に対応するデータを記憶する、とすることができる。さらに、メモリ（３０４）は、バーコード判定部（３１３）が抽出されたバーコードにより表現されたデータを特定するために使用可能なバーコードデータ（３１６）を含む、とすることができる。
【００３６】
出力ポートもしくは装置（３０６）は、バーコードが表現するデータ等のデータを出力可能な任意の出力ポートもしくは出力装置を含んでも良い。例えば、出力ポートもしくは装置（３０６）はデータを表示するためのディスプレイやデータを出力するためのＥｔｈｅｒｎｅｔポート等を有していても良い。
【００３７】
紫外線／赤外線照明装置（３０８）は、紫外線及び／又は赤外線を生成するため、ユーザ及び／又はプロセッサ（３０２）により制御可能であるとすることができる。実施形態によっては、紫外線／赤外線照明装置（３０８）は、ユーザ及び／又はプロセッサ（３０２）からの指示に基づき、さまざまな波長を有する光を生成可能である、とすることができる。例えば、プロセッサ（３０２）はセキュア文書が、第１の波長を有する光にさらされると蛍光発光する第１のインク、及び第２の波長を有する光にさらされると蛍光発光する第２のインクを有すると判定する場合がありうる。するとプロセッサ（３０２）は紫外線／赤外線照明装置（３０８）を制御し、第１のインク及び第２のインクの少なくともいずれかに対応する波長の光を出力させる、とすることができる。
【００３８】
次に、図４を参照し、図１のプリント端末（１０２）等のプリント端末によりセキュア文書を生成するための方法（４００）を説明する。方法（４００）の各ステップは、図２の入力装置（２００）、プロセッサ（２０２）、メモリ（２０４）、及び／又は出力ポート（２０６）等のプリント端末の構成要素により実行可能である。
【００３９】
ブロック（４０２）において、プロセッサはバーコードをセキュア化する要求を受けとる。当該要求はマウスやキーボード等の入力装置から受け付けられても良い。
【００４０】
ブロック（４０４）において、プロセッサはバーコード、バーコードを用いて表現するデータ、もしくは所定ロジックに基づいてバーコードを生成する指示を受けとる。例えば、プロセッサはバーコードを用いて表現するウェブサイトアドレスを受け取る、とすることができる。当該データは、入力装置から受け取る、とすることができる。
【００４１】
ブロック（４０６）において、プロセッサは、バーコードに対して適用する一以上のセキュリティ特徴を受け取るもしくは特定する。例えば、プロセッサは、あらゆるバーコードに対して所定のセキュリティ特徴を自動的に適用するよう設計されている、とすることができる。実施形態によっては、ユーザが複数のセキュリティ特徴から適用するセキュリティ特徴を選択可能である、とすることができる。実施の形態によっては、プリント端末はさらに、用いられているセキュリティ特徴の種類を示す追加情報をプリントオブジェクトに適用する、とすることができる。例えば、第１のセキュリティ特徴が適用されていることを示すために、文書の隅にプリントされた四角形のような記号を追加するとすることができ、第２のセキュリティ特徴が適用されていることを示すために、文書の隅にプリントされた三角形のような記号を追加するとすることができる。このような追加情報は可視インクを用いてプリントしても良く、蛍光インクを用いてプリントしても良い。
【００４２】
ブロック（４０８）において、プロセッサはブロック（４０６）において特定されたセキュリティ特徴を適用する。
【００４３】
ブロック（４１０）において、プロセッサはバーコードと１つ又は複数のセキュリティ特徴とを含むセキュア文書のプリントオブジェクトを生成する。
【００４４】
ブロック（４１２）において、出力ポートは被印刷物へのプリントのため、プリントオブジェクトをプリンタに出力する。
【００４５】
図５を参照して、セキュア文書のバーコードが表現するデータを特定するための方法（５００）を説明する。例えば、方法（５００）は、図３のカメラ（３００）、入力装置（３０１）、プロセッサ（３０２）、メモリ（３０４）、出力ポート（３０６）及び／又は紫外線／赤外線照明装置（３０８）を有する、図１のバーコードリーダ装置（１１０）のようなバーコードリーダ装置の構成要素により実行可能である。
【００４６】
方法（５００）は、入力装置がユーザ、もしくは（例えばリモートデバイスのような）他の装置からバーコードをスキャンする要求を受け付けるブロック（５０２）から開始する場合もある。
【００４７】
ブロック（５０４）において、バーコードリーダ装置が紫外線／赤外線照明装置を含む場合、ユーザもしくはプロセッサは当該照明装置を作動させセキュア文書を照らさせる、とすることができる。バーコードリーダ装置がそのような光を含まない場合、ユーザは別の紫外線／赤外線照明装置を作動させセキュア文書を照らさせる、とすることができる。セキュア文書を紫外線、及び／又は赤外線で照らすことにより、セキュア文書にプリントされたインクの少なくとも一部が蛍光発光する。
【００４８】
ブロック（５０６）において、カメラ又は他の画像検出装置が、紫外線、及び／又は赤外線で照らされたセキュア文書の蛍光発光している部分の画像をキャプチャする。
【００４９】
ブロック（５０８）において、プロセッサは、セキュア文書において用いられている一もしくは複数のセキュリティ特徴の種類を示す情報を受け取るか、セキュア文書において用いられている一もしくは複数のセキュリティ特徴の種類を特定する、とすることができる。当該情報は、入力装置を介してユーザから受け取っても良く、キャプチャ画像において検出されたデータに基づいてプロセッサが特定しても良い。
【００５０】
ブロック（５１０）において、プロセッサはバーコードを抽出する。例えば、プロセッサはキャプチャ画像に対してフィルタを適用することで、セキュリティ特徴の特定の色や他の要素をフィルタ除去する、とすることができる。以下で説明するように、発明者たちはバーコード抽出のための他のフィルタ、及び／又は他の方法を検討した。
【００５１】
ブロック（５１２）において、プロセッサはバーコードが表現するデータが何であるか、特定する。実施形態によっては、バーコードをメモリに記憶されたバーコードや他のデータと比較することで、バーコードとの一致を判定し、一致するデータを特定する、とすることができる。実施形態によっては、プロセッサはバーコードの特徴を解析することでバーコードが表現するデータを特定可能である、とすることができる。実施形態によっては、出力ポートもしくは装置はバーコードをリモートデバイスに送信し、リモートデバイスに解析させる、とすることができる。
【００５２】
ブロック（５１４）において、出力ポート／装置はバーコード、及び／又はバーコードが表現するデータを出力する。
【００５３】
次に、図６Ａを参照するに、セキュア文書（６００）は第１蛍光インク（６０４）と第２蛍光インク（６０６）を有する、とすることができる。第１インク（６０４）と第２インク（６０６）は、通常の照明の下では無色に見え、紫外線及び／又は蛍光灯の下では異なる色に見える、とすることができる。例えば、紫外線光に照らされると、第１インク（６０４）は赤色に見え、第２インク（６０６）は青色に見える、とすることができる。
【００５４】
セキュア文書（６００）は、第１インク（６０４）を用いてプリントされた蛍光バーコード（６０２）と、第２インク（６０６）を用いてプリントされた蛍光干渉パターン（６０５）を有する。蛍光干渉パターン（６０５）は、バーコード（６０２）の読み取り、複製の困難性を高めるためのセキュリティ特徴である。紫外線下でセキュア文書（６００）を見た場合、干渉パターン（６０５）が付加されていることによりバーコード（６０２）は目に見えない。このようにして、バーコード（６０２）を読む権限を有さない者は、バーコード（６０２）を干渉パターン（６０５）と見分けることができず、バーコード（６０２）を読むことはできない、とすることができる。
【００５５】
セキュア文書（６００）は被印刷物（６０１）を有するとすることができる。蛍光バーコード（６０２）と蛍光干渉パターン（６０５）を被印刷物（６０１）の特定の領域（６０３）内に配することで、干渉パターン（６０５）がバーコード（６０２）に直接的に干渉する、とすることができる。
【００５６】
追加的なセキュリティ特徴として、セキュア文書は特定領域（６０３）外にプリントされた第２干渉パターン（６０７）をさらに含む。第２干渉パターン（６０７）は第１インク（６０４）と第２インク（６０６）とを含む。第２干渉パターン（６０７）を特定領域（６０３）外に配することによって、バーコード（６０２）の位置が第２干渉パターン（６０７）によって隠れ、バーコード（６０２）の識別の困難性が高まる。
【００５７】
バーコード（６０２）を見るために、第２蛍光インク（６０６）のフィルタ除去のためのカラーフィルタを用いる、とすることができる。このフィルタリングは、物理的なカラーフィルタが行ってもよく、図１のバーコードリーダ装置（１１０）のようなバーコードリーダ装置の論理フィルタが行っても良い。例えば、セキュア文書から第２蛍光インク（６０６）をフィルタリングで除去するために、図３のバーコード抽出部（３１２）を用いても良い。
【００５８】
セキュア文書（６００）から第２蛍光インク（６０６）をフィルタリングした後には、図６Ｂに示すように、第１蛍光インク（６０４）のみが見える。バーコード（６０２）の第１特徴（６１０）、第２特徴（６１２）、及び第３特徴（６１４）の位置により、バーコード（６０２）の境界が示される。
【００５９】
簡単に図３及び図６Ａを参照するに、プロセッサ（３０２）はバーコード（６０２）が干渉パターンによってセキュア化されていることを判定可能である、とすることができる。例えば、カメラ（３００）はセキュア文書（６００）が、その第２の特定領域（６０９）内に、所定パターン（６０８）を有することを検出する、とすることができる。セキュリティ特徴判定部（３１０）はさらに、所定パターン（６０８）を解析することでセキュリティ特徴が干渉パターン（６０５）であると判定可能である、とすることができる。このようにして、プロセッサ（３０２）は追加のユーザ入力なしにバーコード（６０２）を解読することができる。
【００６０】
図７Ａを参照するに、別のセキュア文書（７００）は第１蛍光インク（７０２）と第２蛍光インク（７０４）を有する、とすることができる。第１インク（７０２）と第２インク（７０４）は通常の照明の下では無色に見え、紫外線及び／又は蛍光灯の下では異なる色に見える、とすることができる。例えば、第１インク（７０２）は赤色に見え、第２インク（７０４）は青色に見える、とすることができる。
【００６１】
セキュア文書（７００）は、第１インク（７０２）のパターン列と第２インク（７０４）のパターン列を、隣接して交互に配することで生成される。第１インク（７０２）はバーコード（７０３）を形成し、第２インク（７０４）はフィラー（７０５）を形成する、としても良く、フィラー（７０５）は第２のバーコード状の外観を有する、とすることができる。セキュア文書（７００）を見ると、バーコード（７０３）とフィラー（７０５）の組み合わせが、バーコード（７０３）ともフィラー（７０５）とも異なる第３のバーコード状の外観を有する、とすることができる。バーコード（７０３）とフィラー（７０５）の組み合わせが第３のバーコード状の外観を有することにより、当該第３のバーコードを読み取ることで得られるデータは、バーコード（７０３）に表現されるデータとは異なることとなる。そのため、権限を有さないユーザは、バーコード（７０３）を見つけ、正確にキャプチャするのに困難を経験するであろう。
【００６２】
次に、図７Ａと図７Ｄを参照するに、セキュア文書（７００）からバーコード（７０３）を抽出するために物理的ラインフィルタ（７０６）を用いる、とすることができる。実施形態によっては、バーコード（７０３）の抽出に、例えばバーコードリーダ装置がソフトウェアを用いて実施する論理ラインフィルタのような論理ラインフィルタを用いることもできる。
【００６３】
図７Ｂと図７Ｃに示すように、フィラー（７０５）とバーコード（７０３）は同一のものではない。この点に関して、フィラー（７０５）とバーコード（７０３）は異なるパターンを有し、したがって異なる情報を表している。したがって、権限を有さないユーザは、バーコード（７０３）を正しく読むためにはフィルタリングが必要であるという点に加えて、バーコード（７０３）とフィラー（７０５）のいずれが正しいバーコードであるかという点も知る必要がある。
【００６４】
追加的なセキュリティ特徴として、フィラー（７０５）をバーコード（７０３）と同じインクを用いてプリントしても良い。この点に関して、バーコードリーダ装置は、バーコード（７０３）及びフィラー（７０５）の各列の幅、およびバーコード（７０３）及びフィラー（７０５）の少なくともいずれか一方の開始位置を特定可能とするロジックを有する、とすることができる。様々な実施形態において、バーコード（７０３）及びフィラー（７０５）は縦線ではなく横線を用いてプリントされても良く、ラインフィルタ以外の幾何学フィルタがバーコード（７０３）を読み取ることを要求されるように、縦方向と横方向の両方に交互に並ぶパターンを用いてプリントしても良い。
【００６５】
図８Ａを参照するに、別のセキュア文書（８００）は第１蛍光インク（８０２）と第２蛍光インク（８０４）を有する、とすることができる。第１インク（８０２）と第２インク（８０４）は通常の照明の下では無色に見え、紫外線又は蛍光灯の下では異なる色に見える、とすることができる。例えば、第１インク（８０２）は赤色に見え、第２インク（８０４）は青色に見える、とすることができる。
【００６６】
第１インク（８０２）はバーコード（８０１）の第１の部分（８０３）を表し、第２インク（８０４）はバーコード（８０１）の第２の部分（８０５）を表す、とすることができる。第１部分（８０３）と第２部分（８０５）は重なっているため、従来のバーコードスキャナーではバーコード（８０１）を正しくスキャンすることはできない。第１部分（８０３）と第２部分（８０５）は重なっているが、第１部分（８０３）の第２部分（８０５）に対してどのような相対的な位置に配しても、本開示の範囲を超えることはない。例えば、第１部分（８０３）は第２部分（８０５）に対して直交して配されても良い。さらに、そして実施形態によっては、第１部分（８０３）は第２部分（８０５）から距離的に離間していても良い。これらすべての実施形態において、従来のバーコードスキャナーがバーコード（８０１）をスキャンすることができないように第１部分（８０３）と第２部分（８０５）を配するとすることができる。
【００６７】
第１部分（８０３）を第２部分（８０５）から分離するために、セキュア文書（８００）に第１のカラーフィルタを適用する、とすることができる。例えば、図８Ａ及び図８Ｂを参照するに、第１のカラーフィルタは第２インク（８０４）をフィルタ除去し、第１部分（８０３）のみ検出可能もしくはキャプチャ可能する、とすることができる。次に図８Ａ及び図８Ｃを参照するに、第１インク（８０２）をフィルタ除去し、第２部分（８０４）のみ検出可能もしくはキャプチャ可能するために第２のカラーフィルタを用いる、とすることができる。部分（８０３）及び（８０５）のぞれぞれの画像を別々にキャプチャしても良い。
【００６８】
すると、ここで図８Ｄを参照するに、バーコードリーダ装置は図示するように第１部分（８０３）の画像と第２部分（８０５）の画像とを組み合わせてバーコード（８０１）を形成することができる。例えば、第１部分（８０３）を第２部分（８０５）の画像に隣接して配置する、とすることができる。この組み合わせの後、バーコード（８０１）を従来のバーコードであるかのようにスキャンすることができる。実施形態によっては、分割及び／又は重ねるバーコードの部分の数は任意であってよい。
【００６９】
図８Ａを参照するに、バーコード（８０１）を読むためには、権限を有さないユーザはまず第１部分（８０３）を第２部分（８０５）から分離する必要があることを知る必要がある。次に、権限を有さないユーザは、第１部分（８０３）と第２部分（８０５）とを如何に分離するか考えだし、更に如何に正しく第１部分（８０３）と第２部分（８０５）とを組み合わせるか考え出さなければならない。
【００７０】
次に図９Ａを参照するに、別のセキュア文書（９００）は蛍光インク（９０５）を有する、とすることができる。蛍光インク（９０５）は通常の照明の下では無色に見え、特定波長の光で照らされると視認可能である、とすることができる。例えば、インク（９０５）は紫外線光で照らされると赤色に蛍光発光する、とすることができる。
【００７１】
被印刷物（９０２）は光学増白剤（９０３）を有するものであればどのような被印刷物であっても良い。このような光学増白剤は市場で手に入る殆どの白色プリント用紙に含まれており、用紙の見た目の「白さ」を強調するために含まれている。この点に関して、被印刷物（９０２）は市販のほぼすべての白色プリント用紙を含むことができる。全ての光学増白剤は紫外線光で照らされると蛍光発光する。したがって、被印刷物（９０２）が光学増白剤（９０３）を有することにより、紫外線光に晒されると被印刷物（９０２）の全ての部分が蛍光発光する。
【００７２】
インク（９０５）を用いてバーコード（９０４）をプリントする、とすることができる。ただし、紫外線光で照らした場合、インク（９０５）が蛍光発光する場合があるのに加えて光学増白剤（９０３）も同じく蛍光発光する。光学増白剤（９０３）の蛍光発光は強く、紫外線光の下でインク（９０５）を隠すのに十分である。
【００７３】
光学増白剤（９０３）のような従来の光学増白剤は、紫外線光で照らされても赤色光は放たない。したがって、インク（９０５）は赤色に蛍光発光するので、赤色以外の光をフィルタ除去することでバーコード（９０４）が視認可能となる。このフィルタリングの結果、図９Ｂに示すように、バーコード（９０４）が視認可能になり、したがってバーコードリーダ装置を用いてスキャン可能となる。
【００７４】
バーコード（９０４）を読み取るためには、権限を有さないユーザはまずバーコード（９０４）が存在することに気付かなければならない。これは、バーコード（９０４）が通常の照明、及び紫外線／赤外線照明の下では視認可能ではないことから、特に困難である。バーコード（９０４）がセキュア文書（９００）に存在することに気付いた後、権限を有さないユーザはバーコード（９０４）を見るためには赤色以外のすべての色をフィルタ除去する必要があることに気付かなければならない。
【００７５】
図１０Ａを参照するに、別のセキュア文書（１０００）は第１蛍光インク（１００２）と第２蛍光インク（１００４）を有する、とすることができる。第１インク（１００２）と第２インク（１００４）は通常の照明の下では無色に見え、紫外線又は蛍光灯の下では異なる色に見える、とすることができる。例えば、第１インク（１００２）は赤色に見え、第２インク（１００４）は青色に見える、とすることができる。
【００７６】
図１０Ａに示すように、セキュア文書（１０００）は識別可能なバーコードを有していないように見える。しかし、図１０Ｂに示すように、セキュア文書（１０００）は第１部分（１００６）と第２部分（１００８）を有する、とすることができる。第１部分（１００６）と第２部分（１００８）はそれぞれ被印刷物（１００１）の特定の領域に配される、とすることができる。例えば、バーコードは、第１部分（１００６）内に配された第１インク（１００２）のすべて、及び第２部分（１００８）内に配された第１インク（１００２）のすべてを含む、とすることができる。別の例として、バーコードは、第１部分（１００６）内に配された第１インク（１００２）のすべて、及び第２部分（１００８）内に配された第２インク（１００４）のすべてを含む、とすることができる。
【００７７】
セキュア文書（１０００）からバーコードを抽出するためには第１インク（１００２）と第２インク（１００４）から分離する必要がある。次に、第１部分（１００６）内の第１インク（１００２）を第２部分（１００８）内の第１インク（１００２）と組み合わせることで、読み取り可能なバーコードが得られる。
【００７８】
この抽出を達成するために、カラーフィルタをセキュア文書（１０００）に適用することで第２インク（１００４）をフィルタ除去する、とすることができる。カラーフィルタは物理的なものであっても良く、論理的なものであっても良い。第２インク（１００４）をフィルタ除去した後、蛍光発光中の第１インク（１００２）をキャプチャする、とすることができる。その後、プロセッサが第１部分（１００６）内の第１インク（１００２）と第２部分（１００８）内の第１インク（１００２）を分離し、それらを組み合わせることで図１０Ｃに示すようなスキャン可能なバーコードを得る、とすることができる。
【００７９】
権限を有さないユーザは、バーコード（１０１０）をスキャンするために、多くの段階を経る必要がある。まず、権限を有さないユーザは、セキュア文書（１０００）にバーコードが存在することに気付かなければならない。次に、権限を有さないユーザはバーコードには二つの部分があること、そして各部分の正確な位置に気付かなければならない。さらに、権限を有さないユーザは、各部分内のどの色を用いるべきかに気づき、適切な色をフィルタで除去し、そしてそれぞれの部分の正しい色同士を組み合わせなければならない。
【００８０】
図１０Ａと図１０Ｃを参照するに、セキュア文書（１０００）をさらにセキュア化するために、焦点をずらして見た時に画像が現れるようにセキュア文書（１０００）を設計することができる。この点に関して、第１インク（１００２）と第２インク（１００４）の組み合わせはオートステレオグラムである。現れる画像はバーコード（１０１０）であっても良く、他の任意の画像であっても良い。オートステレオグラムは、図６Ａの第１インク（６０４）と第２インク（６０６）のような、他のあらゆるセキュリティ特徴と共に含むことができる。
【００８１】
図１１Ａおよび図１１Ｂを参照するに、セキュア文書（１１００）は第１蛍光インク（１１０２）と第２蛍光インク（１１０４）を含む、とすることができる。第１インク（１１０２）及び第２インク（１１０４）はそれぞれ蛍光性を有し、紫外線もしくは赤外線光を受けると蛍光発光し通常の光の下では無色である、とすることができる。第１インク（１１０２）は第１の波長の光に照らされると蛍光発光し、第２インク（１１０４）は第１の波長とは異なる第２の波長の光に照らされると蛍光発光する、とすることができる。
【００８２】
第１のバーコード（１１０３）は第１のインク（１１０２）を用いてプリントされ、第２のバーコード（１１０５）は第２のインク（１１０４）を用いてプリントされる。第１の波長を有する光でセキュア文書（１１００）を照らした場合、図１１Ａに示すように第１のバーコード（１１０３）が蛍光発光する。第２の波長を有する光でセキュア文書（１１００）を照らした場合、図１１Ｂに示すように第２のバーコード（１１０５）が蛍光発光する。さらに、第１のバーコード（１１０３）が蛍光発光しているときには第２のバーコード（１１０５）は見えず、第２のバーコード（１１０５）が蛍光発光しているときには第１のバーコード（１１０３）は見えない、とすることができる。
【００８３】
第１のバーコード（１１０３）が「本当の」バーコードであり、第２のバーコード（１１０５）が「ダミーの」バーコードである、とすることができる。このように、セキュア文書（１１００）は複数段階のセキュリティを有する。まず、権限を有さないユーザは、複数の蛍光バーコードが存在することに気付かなければならない。次に、権限を有さないユーザは、二つ以上のバーコードが存在すること、及びどのような波長が蛍光インク（１１０２）、（１１０４）から反応を引き出すか、に想到しなければならない。さらに、権限を有さないユーザは、バーコード（１１０３）及びバーコード（１１０５）のいずれが「本当の」バーコード及び「ダミーの」バーコードであるかに想到する必要がある。
【００８４】
第１バーコード（１１０３）の読み取りの成功、及びセキュア文書（１１００）の再現の可能性を低くするために、第２バーコード（１１０５）の第２インク（１１０４）を、最も一般的な波長の紫外線光で照らした場合に蛍光発光するものを選択する、とすることができる。
【００８５】
様々な実施形態において、セキュア文書（１１００）と同様のセキュア文書において、さまざまな波長の光の下で発光するインクの数及びそれらインクを用いてプリントされるバーコードの数は任意である。「ダミー」バーコードの数を増やすと「本当の」バーコードを抽出する困難性が高まる。様々な実施形態において、紫外線光Ａ、紫外線光Ｂ、紫外線光Ｃのそれぞれで照らされた場合に蛍光発光する複数のインクを用いる、とすることができる。
【００８６】
図１２Ａに示す別のセキュア文書（１２００）は、複数の可視インク及び複数の蛍光インクを有する、とすることができる。より具体的には、セキュア文書（１２００）は第１可視インク（１２０２）と第２可視インク（１２０４）を含む。第１可視インク（１２０２）は第２可視インク（１２０４）とは異なる色を有する、とすることができる。第１可視インク（１２０２）と第２可視インク（１２０４）は画像もしくはパターンを形成する、とすることができる。図１２Ａでは、セキュア文書（１２００）が通常の照明下にあり、第１可視インク（１２０２）と第２可視インク（１２０４）が照らされた状態で示されている。
【００８７】
セキュア文書（１２００）はさらに第１蛍光インク（１２０６）及び第２蛍光インク（１２０８）を有する。第１蛍光インク（１２０６）及び第２蛍光インク（１２０８）は通常の照明の下では無色であり、紫外線もしくは赤外線照明の下で蛍光発光する、とすることができる。第１蛍光インク（１２０６）と第２蛍光インク（１２０８）とはそれぞれ異なる色を有する、とすることができる。実施形態によっては、第１蛍光インク（１２０６）は第１可視インク（１２０２）と同色であり、第２蛍光インク（１２０８）は第２可視インク（１２０４）と同色である。
【００８８】
図１２Ａ及び図１２Ｂに示すように、第１蛍光インク（１２０６）と第２蛍光インク（１２０８）はバーコード（１２０５）を表す、とすることができる。図１２Ｂに示すように、バーコード（１２０５）は紫外線光の下で視認可能である。バーコード（１２０５）のセキュリティを強化するために、第１蛍光インク（１２０６）を第１可視インク（１２０２）に重ね、第２蛍光インク（１２０８）を第２インク（１００４）に重ねる、とすることができる。
【００８９】
第１インク（１２０２）と第２インク（１２０４）は、組み合わさることで蛍光インク（１２０６）、（１２０８）の発見の困難性を高める干渉パターンを形成する。例えば、権限を有さないユーザはまず可視インク（１２０２）、（１２０４）の下に蛍光インク（１２０６）、（１２０８）が存在することに気付く必要がある。さらに、権限を有さないユーザは、セキュア文書（１２００）のどこに蛍光インク（１２０６）、（１２０８）が位置しているか、気づかなければならない。
【００９０】
様々な実施形態において、セキュア文書（１２００）と同様のセキュア文書に含まれる可視インク、蛍光インクのそれぞれの数は任意であってよい。
【００９１】
セキュア文書（１２００）は様々な方法でプリントできる。セキュア文書（１２００）は四つのインクを含むため、二つの可視インクと二つの蛍光インクを有するプリンタを用いてプリントすることができる。この点に関して、セキュア文書（１２００）は、プリンタ内を一度通ることにより、一度にプリント可能である。セキュア文書（１２００）はまた、二つのプリンタを用いてプリントすることもできる。例えば、第１のプリンタを用いて可視インクをプリントし、蛍光インクを第２のプリンタを用いてプリントする、とすることもできる。
【００９２】
図１３Ａを参照するに、セキュア文書（１３００）は第１インク（１３０２）と第２インク（１３０４）を有していても良い。第１インク（１３０２）と第２インク（１３０４）は通常の照明の下では無色であり、紫外線もしくは赤外線光に照らされると異なる色に見える、とすることができる。例えば、第１インク（１３０２）は赤色に見え、第２インク（１３０４）は青色に見える、とすることができる。
【００９３】
セキュア文書（１３００）は第１蛍光特徴（１３０１）を有する。第１蛍光特徴（１３０１）は、異なる位置で異なる色に蛍光発光するという点で、フォイルホログラム状の外観を有する。この種の色調変化は再現が比較的困難であり、そのためセキュア文書（１３００）の偽造の困難性を高める。このように、偽造者は特徴（１３０１）の存在に気付かなければいけないばかりか、フォイルホログラム状の外観を有する特徴を如何にプリントするかを、会得しなければならない。
【００９４】
セキュア文書（１３００）はさらに蛍光背景パターン（１３０６）を有していても良い。背景パターン（１３０６）もまた、第１インク（１３０２）と第２インク（１３０４）の両方を用いてプリントされても良い。この点に関して、図１３Ａ及び図１３Ｂに示すように、背景パターン（１３０６）は、アナグリフ眼鏡（１３０８）を通して見た時に三次元形状を呈するように設計されても良い。
【００９５】
アナグリフ眼鏡（１３０８）は第１レンズ（１３１０）と第２レンズ（１３１２）を有しても良い。第１レンズ（１３１０）は第２レンズ（１３１２）とは異なる色の光をフィルタリングする。二つのインク（１３０２）、（１３０４）を用いた背景パターン（１３０６）の設計により、三次元効果が得られる。この三次元効果は作成が比較的困難であり、そのため背景パターン（１３０６）の再現の困難性を高める。
【００９６】
第１蛍光特徴（１３０１）と背景パターン（１３０６）はそれぞれ独立したセキュリティ特徴として用いても良く、組み合わせて用いても良い。この点に関して、セキュア文書の読み取り、偽造の困難性を高めるために、上述のセキュリティ特徴のうち任意の複数を組み合わせても良い。
【００９７】
更に、色の操作及び／又は色の追加により、上述の様々なセキュリティ特徴の複雑性を向上することができ、例えば、図６Ａにおいて、第１インクを赤色、第２インクを緑色とすることができる。赤色フィルタは赤色を全て除去し、緑色フィルタは緑色を全て除去する。しかし、セキュア文書（６００）は別に黄色インクを含んでも良く、第１インク（６０４）と第２インク（６０６）とを重ねることで黄色を作っても良い。このように、セキュア文書（６００）は赤、緑、黄の各色を含むことになる。黄色はいくらか赤色を含むため、緑色を取り除くためのフィルタを用いると黄色インクと共に第１インク（６０４）が残る。
【００９８】
本開示において、添付の図面の文脈に基づいて本発明を説明したが、本発明は図面に示す特定の形態に限定されない。例えば、本発明は静電印刷法に関連づけて都合よく説明することができるが、本発明は静電印刷法に限定されない。すなわち、本発明は他の印刷法、例えばイオノグラフィック印刷、磁気図形印刷、電子写真印刷、インクジェット印刷、サーマル印刷、オフセット印刷、３Ｄ印刷や他の画像形成技術を用いて実施可能であるとすることができる。また、添付の請求項によって規定される本発明の範囲を超えることなく、本開示における方法、装置の設計及び構成に対して様々な変形、バリエーション、及び改良をなすことができる。
【図１】
0006577587.tif 000002
【図２】
0006577587.tif 000003
【図３】
0006577587.tif 000004
【図４】
0006577587.tif 000005
【図５】
0006577587.tif 000006
【図６Ａ】
0006577587.tif 000007
【図６Ｂ】
0006577587.tif 000008
【図７Ａ】
0006577587.tif 000009
【図７Ｂ】
0006577587.tif 000010
【図７Ｃ】
0006577587.tif 000011
【図７Ｄ】
0006577587.tif 000012
【図８Ａ】
0006577587.tif 000013
【図８Ｂ】
0006577587.tif 000014
【図８Ｃ】
0006577587.tif 000015
【図８Ｄ】
0006577587.tif 000016
【図９Ａ】
0006577587.tif 000017
【図９Ｂ】
0006577587.tif 000018
【図１０Ａ】
0006577587.tif 000019
【図１０Ｂ】
0006577587.tif 000020
【図１０Ｃ】
0006577587.tif 000021
【図１１Ａ】
0006577587.tif 000022
【図１１Ｂ】
0006577587.tif 000023
【図１２Ａ】
0006577587.tif 000024
【図１２Ｂ】
0006577587.tif 000025
【図１３Ａ】
0006577587.tif 000026
【図１３Ｂ】
0006577587.tif 000027